(57)【要約】【課題】オフロード関連処理を適切に制御する。【解決手段】ネットワーク選択制御方法は、Ｅ−ＵＴＲＡＮ及びＷＬＡＮの中からＵＥ１００のトラフィックを送受信するアクセスネットワークを選択するための方法である。ネットワーク選択制御方法は、ＵＥ１００と接続するｅＮＢ２００が、トラフィックを送受信するアクセスネットワークをＷＬＡＮに切り替えることを要求するためのオフロード制御情報を送信するステップと、オフロード制御情報を受信したＵＥ１００が、自ＵＥ１００の状態が所定状態である場合に、トラフィックを送受信するアクセスネットワークをＷＬＡＮ３０に切り替えないよう制御するステップと、を有する。【選択図】図８
2015159491.tif 000002
【特許請求の範囲】
【請求項１】
セルラＲＡＮ及び無線ＬＡＮの中からユーザ端末のトラフィックを送受信するアクセスネットワークを選択するためのネットワーク選択制御方法であって、
前記ユーザ端末と接続するセルラ基地局が、前記トラフィックを送受信するアクセスネットワークを前記無線ＬＡＮに切り替えることを要求するためのオフロード制御情報を送信するステップと、
前記オフロード制御情報を受信した前記ユーザ端末が、自ユーザ端末の状態が所定状態である場合に、前記トラフィックを送受信するアクセスネットワークを前記無線ＬＡＮに切り替えないよう制御するステップと、
を有することを特徴とするネットワーク選択制御方法。
【請求項２】
前記所定状態とは、ブロードキャスト又はマルチキャストで提供されるＭＢＭＳサービスを受信している又は受信に興味があることを示すＭＢＭＳ興味通知を送信しており、かつ、前記ＭＢＭＳサービスに係る興味が前記ＭＢＭＳ興味通知を送信した時点と比較して変化していない状態であることを特徴とする請求項１に記載のネットワーク選択制御方法。
【請求項３】
前記所定状態とは、自ユーザ端末のホワイトリストに登録されたＣＳＧメンバーセルの近傍に立ち入ることを示す第１の近傍通知を送信しており、かつ、前記ＣＳＧメンバーセルの近傍から離れることを示す第２の近傍通知を未だ送信していない状態であることを特徴とする請求項１に記載のネットワーク選択制御方法。
【請求項４】
前記所定状態とは、前記セルラＲＡＮから準静的スケジューリング（ＳＰＳ）により自ユーザ端末に無線リソースが割り当てられている状態であることを特徴とする請求項１に記載のネットワーク選択制御方法。
【請求項５】
前記オフロード制御情報を送信するステップにおいて、前記セルラ基地局は、前記オフロード制御情報を含むＲＡＮ補助情報をブロードキャスト信号により送信しており、
前記ネットワーク選択制御方法は、
前記ＲＡＮ補助情報を受信した前記ユーザ端末が、自ユーザ端末の状態が前記所定状態である場合に、前記ＲＡＮ補助情報を保持するステップと、
前記ユーザ端末が、自ユーザ端末の状態が前記所定状態ではなくなった場合に、前記保持しているＲＡＮ補助情報に従って動作するステップと、
をさらに有することを特徴とする請求項１乃至４の何れか一項に記載のネットワーク選択制御方法。
【請求項６】
前記セルラ基地局から送信される前記ＲＡＮ補助情報が更新された場合に、当該更新されたＲＡＮ補助情報を保持するステップをさらに有することを特徴とする請求項５に記載のネットワーク選択制御方法。
【請求項７】
前記制御するステップにおいて、前記ユーザ端末は、前記トラフィックを送受信するアクセスネットワークを前記無線ＬＡＮに切り替えるためのオフロード関連処理を省略することを特徴とする請求項５又は６に記載のネットワーク選択制御方法。
【請求項８】
前記オフロード関連処理は、無線ＬＡＮアクセスポイントのスキャン、前記アクセスネットワークの選択、無線ＬＡＮ測定報告の送信、前記トラフィックの切り替え、のうち少なくとも１つであることを特徴とする請求項７に記載のネットワーク選択制御方法。
【請求項９】
前記オフロード制御情報を送信するステップにおいて、前記セルラ基地局は、前記オフロード制御情報をユニキャスト信号により送信しており、
前記制御するステップにおいて、前記ユーザ端末は、前記受信したオフロード制御情報を無視することを特徴とする請求項１乃至４の何れか一項に記載のネットワーク選択制御方法。
【請求項１０】
前記オフロード制御情報を送信するステップにおいて、前記セルラ基地局は、前記オフロード制御情報をユニキャスト信号により送信しており、
前記制御するステップにおいて、前記ユーザ端末は、自ユーザ端末が前記所定状態であることを示す通知を前記セルラ基地局に対して行うことを特徴とする請求項１乃至４の何れか一項に記載のネットワーク選択制御方法。
【請求項１１】
前記通知は、ブロードキャスト又はマルチキャストで配信されるＭＢＭＳを受信している又は受信に興味があることを示すＭＢＭＳ興味通知の再送、自ユーザ端末のホワイトリストに登録されたＣＳＧメンバーセルの近傍に立ち入ることを示す第１の近傍通知の再送、前記オフロード制御情報に対する拒否通知、のうち少なくとも１つであることを特徴とする請求項１０に記載のネットワーク選択制御方法。
【請求項１２】
前記オフロード制御情報を送信するステップにおいて、前記セルラ基地局は、前記オフロード制御情報をユニキャスト信号により送信しており、
前記ネットワーク選択制御方法は、
前記ユーザ端末の状態が所定状態であると判断した前記セルラ基地局が、前記オフロード制御情報を前記ユーザ端末に送信しないよう制御するステップをさらに有することを特徴とする請求項１乃至４の何れか一項に記載のネットワーク選択制御方法。
【請求項１３】
セルラＲＡＮ及び無線ＬＡＮの中から自トラフィックを送受信するアクセスネットワークを選択することができるユーザ端末であって、
自ユーザ端末と接続するセルラ基地局から、前記トラフィックを送受信するアクセスネットワークを前記無線ＬＡＮに切り替えることを要求するためのオフロード制御情報を受信する受信部と、
前記オフロード制御情報を受信した場合でも、自ユーザ端末の状態が所定状態である場合に、前記トラフィックを送受信するアクセスネットワークを前記無線ＬＡＮに切り替えないよう制御する制御部と、
を有することを特徴とするユーザ端末。
【請求項１４】
ユーザ端末と接続するセルラ基地局であって、
前記ユーザ端末のトラフィックを送受信するアクセスネットワークを無線ＬＡＮに切り替えることを要求するためのオフロード制御情報をユニキャスト信号により送信する送信部と、
前記ユーザ端末の状態が所定状態であると判断した場合に、前記オフロード制御情報を前記ユーザ端末に送信しないよう制御する制御部と、
を有することを特徴とするセルラ基地局。
【発明の詳細な説明】
【技術分野】
【０００１】
本発明は、セルラＲＡＮ及び無線ＬＡＮの中からユーザ端末のトラフィックを送受信するアクセスネットワークを選択するためのネットワーク選択制御方法、ユーザ端末、及びセルラ基地局に関する。
【背景技術】
【０００２】
近年、セルラ通信及び無線ＬＡＮ（Ｌｏｃａｌ  Ａｒｅａ  Ｎｅｔｗｏｒｋ）通信の両機能を有するユーザ端末（いわゆる、デュアル端末）の普及が進んでいる。また、セルラ通信システムのオペレータにより管理される無線ＬＡＮアクセスポイントが増加している。そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラＲＡＮ（Ｒａｄｉｏ  Ａｃｃｅｓｓ  Ｎｅｔｗｏｒｋ）及び無線ＬＡＮの連携を強化できる技術が検討されている。
【０００３】
例えば、セルラＲＡＮが収容しているユーザ端末のトラフィックを、無線ＬＡＮが収容するよう切り替えることにより、セルラＲＡＮのトラフィック負荷を削減することができる（オフロード）。また、セルラＲＡＮ及び無線ＬＡＮの中からユーザ端末のトラフィックを送受信するアクセスネットワークを選択するためのネットワーク選択方式として複数の方式が提案されている（非特許文献１参照）。
【先行技術文献】
【非特許文献】
【０００４】
【非特許文献１】３ＧＰＰ技術報告書  「ＴＲ３７．８３４  Ｖ１２．０．０」  ２０１３年１２月
【発明の概要】
【発明が解決しようとする課題】
【０００５】
上述したネットワーク選択方式の中には、ユーザ端末が、セルラＲＡＮから送信されるオフロード制御情報に基づいて、自トラフィックを送受信するアクセスネットワークを無線ＬＡＮに切り替えるためのオフロード関連処理を行う方式がある。
【０００６】
このような方式において、ユーザ端末の状態を考慮せずに当該ユーザ端末に対してオフロード制御情報を提供する場合、オフロード関連処理を行うべきではないユーザ端末、すなわち、セルラＲＡＮが収容した方が好ましいユーザ端末がオフロード関連処理を行う虞がある。
【０００７】
そこで、本発明は、オフロード関連処理を適切に制御することができるネットワーク選択制御方法、ユーザ端末、及びセルラ基地局を提供することを目的とする。
【課題を解決するための手段】
【０００８】
第１の特徴に係るネットワーク選択制御方法は、セルラＲＡＮ及び無線ＬＡＮの中からユーザ端末のトラフィックを送受信するアクセスネットワークを選択するための方法である。前記ネットワーク選択制御方法は、前記ユーザ端末と接続するセルラ基地局が、前記トラフィックを送受信するアクセスネットワークを前記無線ＬＡＮに切り替えることを要求するためのオフロード制御情報を送信するステップと、前記オフロード制御情報を受信した前記ユーザ端末が、自ユーザ端末の状態が所定状態である場合に、前記トラフィックを送受信するアクセスネットワークを前記無線ＬＡＮに切り替えないよう制御するステップと、を有する。
【０００９】
第２の特徴に係るユーザ端末は、セルラＲＡＮ及び無線ＬＡＮの中から自トラフィックを送受信するアクセスネットワークを選択することができる。前記ユーザ端末は、自ユーザ端末と接続するセルラ基地局から、前記トラフィックを送受信するアクセスネットワークを前記無線ＬＡＮに切り替えることを要求するためのオフロード制御情報を受信する受信部と、前記オフロード制御情報を受信した場合でも、自ユーザ端末の状態が所定状態である場合に、前記トラフィックを送受信するアクセスネットワークを前記無線ＬＡＮに切り替えないよう制御する制御部と、を有する。
【００１０】
第３の特徴に係るセルラ基地局は、ユーザ端末と接続する。前記セルラ基地局は、前記ユーザ端末のトラフィックを送受信するアクセスネットワークを無線ＬＡＮに切り替えることを要求するためのオフロード制御情報をユニキャスト信号により送信する送信部と、前記ユーザ端末の状態が所定状態であると判断した場合に、前記オフロード制御情報を前記ユーザ端末に送信しないよう制御する制御部と、を有する。
【発明の効果】
【００１１】
本発明によれば、オフロード関連処理を適切に制御することができる。
【図面の簡単な説明】
【００１２】
【図１】実施形態に係るシステム構成図である。
【図２】実施形態に係るＵＥのブロック図である。
【図３】実施形態に係るｅＮＢのブロック図である。
【図４】無線インターフェイスのプロトコルスタック図である。
【図５】ＭＢＭＳ興味通知を説明するための図である。
【図６】近傍通知を説明するための図である。
【図７】実施形態に係る動作環境を示す図である。
【図８】実施形態に係る動作パターン１を示す図である。
【図９】実施形態に係る動作パターン２を示す図である。
【発明を実施するための形態】
【００１３】
［実施形態の概要］
実施形態に係るネットワーク選択制御方法は、セルラＲＡＮ及び無線ＬＡＮの中からユーザ端末のトラフィックを送受信するアクセスネットワークを選択するための方法である。前記ネットワーク選択制御方法は、前記ユーザ端末と接続するセルラ基地局が、前記トラフィックを送受信するアクセスネットワークを前記無線ＬＡＮに切り替えることを要求するためのオフロード制御情報を送信するステップと、前記オフロード制御情報を受信した前記ユーザ端末が、自ユーザ端末の状態が所定状態である場合に、前記トラフィックを送受信するアクセスネットワークを前記無線ＬＡＮに切り替えないよう制御するステップと、を有する。
【００１４】
実施形態では、前記所定状態とは、ブロードキャスト又はマルチキャストで提供されるＭＢＭＳサービスを受信している又は受信に興味があることを示すＭＢＭＳ興味通知を送信しており、かつ、前記ＭＢＭＳサービスに係る興味が前記ＭＢＭＳ興味通知を送信した時点と比較して変化していない状態である。
【００１５】
実施形態では、前記所定状態とは、自ユーザ端末のホワイトリストに登録されたＣＳＧメンバーセルの近傍に立ち入ることを示す第１の近傍通知を送信しており、かつ、前記ＣＳＧメンバーセルの近傍から離れることを示す第２の近傍通知を未だ送信していない状態である。
【００１６】
実施形態では、前記所定状態とは、前記セルラＲＡＮから準静的スケジューリング（ＳＰＳ）により自ユーザ端末に無線リソースが割り当てられている状態である。
【００１７】
実施形態に係る動作パターン１では、前記オフロード制御情報を送信するステップにおいて、前記セルラ基地局は、前記オフロード制御情報を含むＲＡＮ補助情報をブロードキャスト信号により送信している。前記ネットワーク選択制御方法は、前記ＲＡＮ補助情報を受信した前記ユーザ端末が、自ユーザ端末の状態が前記所定状態である場合に、前記ＲＡＮ補助情報を保持するステップと、前記ユーザ端末が、自ユーザ端末の状態が前記所定状態ではなくなった場合に、前記保持しているＲＡＮ補助情報に従って動作するステップと、をさらに有する。
【００１８】
実施形態に係る動作パターン１では、前記ネットワーク選択制御方法は、前記セルラ基地局から送信される前記ＲＡＮ補助情報が更新された場合に、当該更新されたＲＡＮ補助情報を保持するステップをさらに有する。
【００１９】
実施形態に係る動作パターン１では、前記制御するステップにおいて、前記ユーザ端末は、前記トラフィックを送受信するアクセスネットワークを前記無線ＬＡＮに切り替えるためのオフロード関連処理を省略する。
【００２０】
実施形態に係る動作パターン１では、前記オフロード関連処理は、無線ＬＡＮアクセスポイントのスキャン、前記アクセスネットワークの選択、無線ＬＡＮ測定報告の送信、前記トラフィックの切り替え、のうち少なくとも１つである。
【００２１】
実施形態に係る動作パターン２では、前記オフロード制御情報を送信するステップにおいて、前記セルラ基地局は、前記オフロード制御情報をユニキャスト信号により送信している。前記制御するステップにおいて、前記ユーザ端末は、前記受信したオフロード制御情報を無視する。
【００２２】
実施形態に係る動作パターン２では、前記オフロード制御情報を送信するステップにおいて、前記セルラ基地局は、前記オフロード制御情報をユニキャスト信号により送信している。前記制御するステップにおいて、前記ユーザ端末は、自ユーザ端末が前記所定状態であることを示す通知を前記セルラ基地局に対して行う。
【００２３】
実施形態に係る動作パターン２では、前記通知は、ブロードキャスト又はマルチキャストで配信されるＭＢＭＳを受信している又は受信に興味があることを示すＭＢＭＳ興味通知の再送、自ユーザ端末のホワイトリストに登録されたＣＳＧメンバーセルの近傍に立ち入ることを示す第１の近傍通知の再送、前記オフロード制御情報に対する拒否通知、のうち少なくとも１つである。
【００２４】
実施形態に係る動作パターン２では、前記オフロード制御情報を送信するステップにおいて、前記セルラ基地局は、前記オフロード制御情報をユニキャスト信号により送信している。前記ネットワーク選択制御方法は、前記ユーザ端末の状態が所定状態であると判断した前記セルラ基地局が、前記オフロード制御情報を前記ユーザ端末に送信しないよう制御するステップをさらに有する。
【００２５】
実施形態に係るユーザ端末は、セルラＲＡＮ及び無線ＬＡＮの中から自トラフィックを送受信するアクセスネットワークを選択することができる。前記ユーザ端末は、自ユーザ端末と接続するセルラ基地局から、前記トラフィックを送受信するアクセスネットワークを前記無線ＬＡＮに切り替えることを要求するためのオフロード制御情報を受信する受信部と、前記オフロード制御情報を受信した場合でも、自ユーザ端末の状態が所定状態である場合に、前記トラフィックを送受信するアクセスネットワークを前記無線ＬＡＮに切り替えないよう制御する制御部と、を有する。
【００２６】
実施形態に係るセルラ基地局は、ユーザ端末と接続する。前記セルラ基地局は、前記ユーザ端末のトラフィックを送受信するアクセスネットワークを無線ＬＡＮに切り替えることを要求するためのオフロード制御情報をユニキャスト信号により送信する送信部と、前記ユーザ端末の状態が所定状態であると判断した場合に、前記オフロード制御情報を前記ユーザ端末に送信しないよう制御する制御部と、を有する。
【００２７】
［実施形態］
以下、図面を参照して、３ＧＰＰ規格に準拠して構成されるセルラ通信システムであるＬＴＥシステムを無線ＬＡＮ（ＷＬＡＮ）システムと連携させる場合の実施形態を説明する。
【００２８】
（システム構成）
図１は、実施形態に係るシステム構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００２９】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００３０】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００３１】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００３２】
ｅＮＢ２００は、Ｘ２インターフェイスを介して相互に接続される。また、ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００３３】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３４】
ＷＬＡＮ３０は、ＷＬＡＮアクセスポイント（以下「ＡＰ」という）３００を含む。ＡＰ３００は、例えばＬＴＥシステムのネットワーク・オペレータにより管理されるＡＰ（Ｏｐｅｒａｔｏｒ  ｃｏｎｔｒｏｌｌｅｄ  ＡＰ）である。
【００３５】
ＷＬＡＮ３０は、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータ等を介してＥＰＣ２０に接続される。
【００３６】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００３７】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＮＡＳ（Ｎｏｎ  Ａｃｃｅｓｓ  Ｓｔｒａｔｕｍ）メッセージにより、ＷＬＡＮ３０に関するＡＮＤＳＦ情報をＵＥ１００に提供する。
【００３８】
次に、ＵＥ１００及びｅＮＢ２００の構成を説明する。
【００３９】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００４１】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。また、メモリ２３０をプロセッサ２４０と一体化し、このセット（すなわち、チップセット）をプロセッサ２４０’としてもよい。
【００４５】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。
【００４７】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５０】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００５１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５２】
ＰＤＣＰ層は、ヘッダ圧縮・伸張、及び暗号化・復号化を行う。
【００５３】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００５４】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ５００及びＡＮＤＳＦサーバは、ＮＡＳメッセージをＵＥ１００と送受信する。
【００５５】
また、ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００５７】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの区間は、主にユーザデータを伝送するための物理下りリンク共有チャネル（ＰＤＳＣＨ）として使用できる領域である。
【００５８】
上りリンクにおいて、各サブフレームにおける周波数方向の両端部は、主に制御信号を伝送するための物理上りリンク制御チャネル（ＰＵＣＣＨ）として使用される領域である。各サブフレームにおける他の部分は、主にユーザデータを伝送するための物理上りリンク共有チャネル（ＰＵＳＣＨ）として使用できる領域である。
【００５９】
（ＭＢＭＳ）
実施形態に係るＬＴＥシステムには、ＭＢＭＳが導入されている。以下において、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の概要について説明する。
【００６０】
ＭＢＭＳでは、ＵＥ１００は、ネットワークからマルチキャスト又はブロードキャストで提供されるＭＢＭＳサービスを受信する。ＵＥ１００は、ＲＲＣコネクティッド状態だけでなく、ＲＲＣアイドル状態においてもＭＢＭＳサービスを受信可能である。
【００６１】
複数のセルにより１つのＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）エリアが構成され、複数のＭＢＳＦＮエリアによりＭＢＭＳサービスエリアが構成される。また、ネットワークには、図１に示したネットワークエンティティに加えて、ＭＢＭＳサービスの配信機能を提供するＢＭＳＣ（ｂｒｏａｄｃａｓｔ  ｍｕｌｔｉｃａｓｔ  ｓｅｒｖｉｃｅ  Ｃｅｎｔｅｒ）と、ＭＢＭＳサービスを各ｅＮＢ２００にブロードキャストするＭＢＭＳ−ＧＷ（ＭＢＭＳ  ｇａｔｅｗａｙ）と、同一ＭＢＳＦＮエリア内の各ｅＮＢ２００により使用される無線リソースを制御するＭＣＥ(Ｍｕｌｔｉ−ｃｅｌｌ  Ｃｏｏｒｄｉｎａｔｉｏｎ  Ｅｎｔｉｔｙ)と、が設けられる。
【００６２】
また、ＭＢＭＳサービスの受信継続性をサポートするために、ＭＢＭＳ興味通知（ＭＢＭＳ  Ｉｎｔｅｒｅｓｔ  Ｉｎｄｉｃａｔｉｏｎ）が導入されている。図５は、ＭＢＭＳ興味通知を説明するための図である。
【００６３】
図５に示すように、ＭＢＭＳ興味通知は、ＲＲＣコネクティッド状態のＵＥ１００からＥ−ＵＴＲＡＮ１０に送信され、ＵＥ１００がＭＢＭＳサービスを受信している／受信に興味を持つのか、もはやＭＢＭＳサービスを受信していない／受信に興味を持たないのかに関する情報をＥ−ＵＴＲＡＮ１０に提供する。具体的には、ＵＥ１００は、ＲＲＣ接続を確立する際、及び、ＭＢＭＳサービスに係る興味（すなわち、ＭＢＭＳ周波数に対する興味）がＭＢＭＳ興味通知を最後に送信した時点と比較して変化した際に、ＭＢＭＳ興味通知をＥ−ＵＴＲＡＮ１０に送信する。なお、ＵＥ１００は、システム情報ブロック・タイプ１５（ＳＩＢ１５）を提供するセルからＳＩＢ１５を受信した場合にのみ、当該セルに対してＭＢＭＳ興味通知を送信可能である。
【００６４】
ＭＢＭＳ興味通知には、ＵＥ１００がＭＲＢ（ＭＢＭＳ  Ｐｏｉｎｔ−ｔｏ−Ｍｕｌｔｉｐｏｉｎｔ  Ｒａｄｉｏ  Ｂｅａｒｅｒ）で受信している又は受信に興味を持つＭＢＭＳ周波数を示す周波数情報と、ユニキャスト受信よりもＭＢＭＳ受信を優先することを示すＭＢＭＳ優先度情報と、を含めることが可能である。Ｅ−ＵＴＲＡＮ１０は、ＭＢＭＳ興味通知に基づいて、ＭＢＭＳサービス受信している又は受信に興味を持つＵＥ１００に対して、ＭＢＭＳ受信を保証するための制御（ハンドオーバなど）を行う。
【００６５】
（特定セル）
実施形態に係るＬＴＥシステムには、アクセス権が制限される特定セルが導入されている。以下において、特定セルの概要について説明する。
【００６６】
特定セルは、ＣＳＧ（Ｃｌｏｓｅｄ  Ｓｕｂｓｃｒｉｂｅｒ  Ｇｒｏｕｐ）セル又はハイブリッドセルである。特定セルは、ＣＳＧ  ＩＤをブロードキャストするセルである。ＵＥ１００は、自ＵＥ１００がアクセス権を有するＣＳＧ  ＩＤのリストであるホワイトリストを記憶している。ＵＥ１００は、特定セルからブロードキャストされるＣＳＧ  ＩＤをホワイトリストと照合し、当該ＣＳＧ  ＩＤがホワイトリストに含まれる場合に、アクセス可能なセル（ＣＳＧメンバーセル）であると判断する。
【００６７】
また、ＵＥ１００がＣＳＧメンバーセルの周波数に対する測定を行うことにより、ＣＳＧメンバーセルへの効率的なハンドオーバを行うために、近傍通知（Ｐｒｏｘｉｍｉｔｙ  Ｉｎｄｉｃａｔｉｏｎ）が導入されている。図６は、近傍通知を説明するための図である。
【００６８】
図６に示すように、近傍通知は、ＲＲＣコネクティッド状態のＵＥ１００からＥ−ＵＴＲＡＮ１０に送信され、ＵＥ１００がＣＳＧメンバーセルの近傍に立ち入る又は離れるのかをＥ−ＵＴＲＡＮ１０に通知するものである。具体的には、ＵＥ１００は、自律探索処理（ａｕｔｏｎｏｍｏｕｓ  ｓｅａｒｃｈ  ｐｒｏｃｅｄｕｒｅ）により、ＣＳＧメンバーセルが近傍に存在するか否かを判断し、判断結果に基づいて近傍通知をＥ−ＵＴＲＡＮ１０に送信する。
【００６９】
近傍通知には、ＣＳＧメンバーセルの周波数を示す周波数情報と、ＵＥ１００が当該ＣＳＧメンバーセルの近傍に立ち入る（Ｅｎｔｅｒｉｎｇ）のか離れる（Ｌｅａｖｉｎｇ）のかを示す種別情報と、を含めることが可能である。
【００７０】
Ｅ−ＵＴＲＡＮ１０は、近傍通知に基づいて、ＣＳＧメンバーセルに対する測定のための測定設定（Ｍｅａｓｕｒｅｍｅｎｔ  ｃｏｎｆｉｇｕｒａｔｉｏｎ）をＵＥ１００に送信する。ＵＥ１００は、当該測定設定に基づいて、測定セルの識別子（ＰＣＩ：Ｐｈｙｓｉｃａｌ  Ｃｅｌｌ  Ｉｄｅｎｔｉｆｉｅｒ）を含む測定報告をＥ−ＵＴＲＡＮ１０に送信する。Ｅ−ＵＴＲＡＮ１０は、かかる測定報告に基づいて、ＣＳＧメンバーセルへのハンドオーバ手順を開始する。
【００７１】
（準静的スケジューリング）
実施形態に係るＬＴＥシステムには、準静的スケジューリング（ＳＰＳ：Ｓｅｍｉ  Ｐｅｒｓｉｓｔｅｎｔ  Ｓｃｈｅｄｕｌｉｎｇ）が導入されている。以下において、準静的スケジューリングの概要について説明する。
【００７２】
上りリンク及び下りリンクのスケジューリングには、基本的には、１サブフレーム単位での動的スケジューリングが適用される。一方で、パケットベースの音声通信であるＶｏＬＴＥ（Ｖｏｉｃｅ  ｏｖｅｒ  ＬＴＥ）などのサービスは、少量のユーザデータを断続的に送受信するものであるため、動的スケジューリングを適用すると、ＰＤＣＣＨの制御信号に無駄が多くなる。このため、ＶｏＬＴＥ（Ｖｏｉｃｅ  ｏｖｅｒ  ＬＴＥ）などのサービスには、持続的に無線リソースをＵＥ１００に割り当てる準静的スケジューリングを適用することにより、制御信号の削減、すなわちオーバーヘッドの削減が実現される。
【００７３】
（実施形態に係る動作環境）
以下において、実施形態に係る動作環境について説明する。図７は、実施形態に係る動作環境を示す図である。図７に示すように、ｅＮＢ２００のセルに複数のＡＰ３００（ＡＰ３００−１乃至３００−３）が設けられている。また、ｅＮＢ２００のセルに複数のＵＥ１００（ＵＥ１００−１乃至１００−４）が在圏している。さらに、ｅＮＢ２００のセルに１又は複数の特定セルが設けられていてもよい。
【００７４】
ＵＥ１００−１乃至ＵＥ１００−３は、ｅＮＢ２００に接続しており、トラフィック（ユーザデータ）をｅＮＢ２００と送受信している。ＵＥ１００−４は、ＡＰ３００−３に接続しており、トラフィック（ユーザデータ）をＡＰ３００−３と送受信している。
【００７５】
このような動作環境において、ｅＮＢ２００（Ｅ−ＵＴＲＡＮ１０）が収容しているＵＥ１００のトラフィックを、ＡＰ３００（ＷＬＡＮ３０）に向けるよう切り替え（トラフィック・ステアリング）を行うことにより、ｅＮＢ２００のトラフィック負荷を削減することができる（すなわち、オフロード）。なお、トラフィック・ステアリングには、ＵＥ１００の接続先をｅＮＢ２００とＡＰ３００との間で切り替える場合と、ＵＥ１００がｅＮＢ２００及びＡＰ３００の両方に接続しつつ少なくとも一部のデータパスをｅＮＢ２００とＡＰ３００との間で切り替える場合と、がある。
【００７６】
各ＵＥ１００は、予め規定されたネットワーク選択規則などに基づいて、Ｅ−ＵＴＲＡＮ１０及びＷＬＡＮ３０の中から自ＵＥ１００のトラフィックを送受信するアクセスネットワークを選択するネットワーク選択を行う。例えば、ネットワーク選択規則は、「ＲＡＮ測定値＜Ａ  ＆  ＷＬＡＮ測定値＞Ｂ」、かつ、「オフロードが要求される」場合に、ＷＬＡＮ３０に対してトラフィック・ステアリングを行うという規則である。ネットワーク選択規則は、ＡＮＤＳＦサーバから提供されてもよい。
【００７７】
ｅＮＢ２００は、かかるネットワーク選択規則に適用されるＲＡＮ補助情報をＵＥ１００に送信する。ＲＡＮ補助情報は、例えば、Ｅ−ＵＴＲＡＮ１０の負荷レベルと関連する負荷情報と、ＲＡＮ測定値及び／又はＷＬＡＮ測定値と比較される閾値（上記の「Ａ」、「Ｂ」など）と、を含む。
【００７８】
負荷情報は、Ｅ−ＵＴＲＡＮ１０の負荷レベルを示す情報、又は、オフロードを要求することを示す情報である。すなわち、負荷情報は、直接的又は間接的に、オフロード（すなわち、トラフィックを送受信するアクセスネットワークをＷＬＡＮ３０に切り替えること）をＵＥ１００に要求するための情報である。以下において、このようなオフロードを要求する情報（負荷情報）を「オフロード制御情報」と称する。
【００７９】
（ネットワーク選択制御方法）
以下において、実施形態に係るネットワーク選択制御方法について説明する。
【００８０】
実施形態に係るネットワーク選択制御方法は、Ｅ−ＵＴＲＡＮ１０及びＷＬＡＮ３０の中からＵＥ１００のトラフィックを送受信するアクセスネットワークを選択するネットワーク選択を制御するための方法である。ネットワーク選択制御方法は、ＵＥ１００と接続するｅＮＢ２００が、トラフィックを送受信するアクセスネットワークをＷＬＡＮ３０に切り替えること（オフロード）を要求するためのオフロード制御情報を送信するステップと、オフロード制御情報を受信したＵＥ１００が、自ＵＥ１００の状態が所定状態である場合に、トラフィックを送受信するアクセスネットワークをＷＬＡＮ３０に切り替えないよう制御するステップと、を有する。
【００８１】
実施形態では、所定状態とは、ブロードキャスト又はマルチキャストで提供されるＭＢＭＳサービスを受信している又は受信に興味があることを示すＭＢＭＳ興味通知をｅＮＢ２００に送信しており、かつ、ＭＢＭＳサービスに係る興味が当該ＭＢＭＳ興味通知を送信した時点と比較して変化していない状態である。
【００８２】
すなわち、ＲＲＣコネクティッド状態においてＭＢＭＳサービスを受信している又は受信に興味があるＵＥ１００は、ｅＮＢ２００からオフロードを要求されても、当該要求に従わずにｅＮＢ２００との接続を維持する。これにより、ＭＢＭＳサービスを受信している又は受信に興味があるＵＥ１００に対するＭＢＭＳサービスの受信継続性を保証できる。
【００８３】
或いは、所定状態とは、自ＵＥ１００のホワイトリストに登録されたＣＳＧメンバーセルの近傍に立ち入ることを示す第１の近傍通知をｅＮＢ２００に送信しており、かつ、ＣＳＧメンバーセルの近傍から離れることを示す第２の近傍通知をｅＮＢ２００に未だ送信していない状態である。第１の近傍通知とは、Ｅｎｔｅｒｉｎｇを示す種別情報を含む近傍通知である。第２の近傍通知とは、Ｌｅａｖｉｎｇを示す種別情報を含む近傍通知である。或いは、第１の近傍通知を送信したことに加えて、ＣＳＧメンバーセルの測定設定を受信したことも条件に加えてもよい。
【００８４】
すなわち、ＲＲＣコネクティッド状態においてＣＳＧメンバーセルが近傍に存在するＵＥ１００は、ＲＲＣコネクティッド状態において、ｅＮＢ２００からオフロードを要求されても、当該要求に従わずにｅＮＢ２００との接続を維持する。これにより、ＣＳＧメンバーセルが近傍に存在するＵＥ１００を当該ＣＳＧメンバーセルにハンドオーバすることが可能となる。なお、ＵＥ１００をＣＳＧメンバーセルにハンドオーバすることにより、ｅＮＢ２００のオフロードも実現されることになる。
【００８５】
或いは、実施形態では、所定状態とは、Ｅ−ＵＴＲＡＮ１０から準静的スケジューリング（ＳＰＳ）により自ＵＥ１００に無線リソースが割り当てられている状態である。
【００８６】
すなわち、ＲＲＣコネクティッド状態においてＶｏＬＴＥなどを行うＵＥ１００は、ｅＮＢ２００からオフロードを要求されても、当該要求に従わずにｅＮＢ２００との接続を維持する。ＷＬＡＮ３０では、音声通信を継続できるかは懐疑的である。仮にＶｏｉｃｅ  ｏｖｅｒ  ＷＬＡＮが可能であるとしても、遅延等が大きく品質が確保できない恐れがある。よって、ｅＮＢ２００からオフロードを要求されても、当該要求に従わずにｅＮＢ２００との接続を維持することにより、音声通信の切断を回避し、かつ音声通信の品質を確保することができる。
【００８７】
（動作パターン１）
以下において、実施形態に係る動作パターン１について説明する。実施形態に係る動作パターン１では、ｅＮＢ２００は、オフロードを要求するオフロード制御情報を含むＲＡＮ補助情報をブロードキャスト信号により送信する。ブロードキャスト信号は、例えば共通ＲＲＣメッセージの一種であるシステム情報ブロック（ＳＩＢ）である。
【００８８】
ＲＡＮ補助情報を受信したＵＥ１００は、自ＵＥ１００の状態が所定状態である場合に、ＲＡＮ補助情報を保持する。また、ＵＥ１００は、ｅＮＢ２００から送信されるＲＡＮ補助情報が更新された場合に、当該更新されたＲＡＮ補助情報を保持する。そして、ＵＥ１００は、自ＵＥ１００の状態が所定状態ではなくなった場合に、保持しているＲＡＮ補助情報に従って動作する。
【００８９】
実施形態に係る動作パターン１では、ブロードキャスト信号により送信されるオフロード制御情報を受信したＵＥ１００は、自ＵＥ１００の状態が所定状態である場合に、トラフィックを送受信するアクセスネットワークをＷＬＡＮ３０に切り替えるためのオフロード関連処理を省略する。オフロード関連処理とは、ＡＰ３００のスキャン、アクセスネットワークの選択（ネットワーク選択）、ＷＬＡＮ測定報告の送信、トラフィックの切り替え（トラフィック・ステアリング）、のうち少なくとも１つである。
【００９０】
図８は、実施形態に係る動作パターン１を示す図である。図８において、ＵＥ１００は、ｅＮＢ２００との接続を確立した状態（ＲＲＣコネクティッド状態）である。また、ｅＮＢ２００が輻輳状態にあると仮定する。
【００９１】
図８に示すように、ステップＳ１０１において、ｅＮＢ２００は、オフロードを要求するオフロード制御情報を含むＲＡＮ補助情報をブロードキャスト信号により送信する。ＵＥ１００は、オフロード制御情報を含むＲＡＮ補助情報を受信する。
【００９２】
ステップＳ１０２において、ＵＥ１００は、自ＵＥ１００の状態が所定状態であるか否かを判断する。自ＵＥ１００の状態が所定状態でないと判断した場合（ステップＳ１０２；ＮＯ）、ステップＳ１０３において、ＵＥ１００は、受信したＲＡＮ補助情報に従ってオフロード関連処理を行う。
【００９３】
これに対し、自ＵＥ１００の状態が所定状態であると判断した場合（ステップＳ１０２；ＹＥＳ）、ステップＳ１０４において、ＵＥ１００は、受信したＲＡＮ補助情報を保持する。
【００９４】
ステップＳ１０５において、ＵＥ１００は、自ＵＥ１００の状態が所定状態であるか否かを判断する。自ＵＥ１００の状態が所定状態であると判断した場合（ステップＳ１０５；ＹＥＳ）、ステップＳ１０４に戻り、ＲＡＮ補助情報を保持し続ける。また、更新されたＲＡＮ補助情報をｅＮＢ２００から受信した場合には、保持しているＲＡＮ補助情報も更新する。
【００９５】
なお、ＵＥ１００がハンドオーバを行う場合、ＵＥ１００は、ハンドオーバ先のｅＮＢ２００から送信されるＲＡＮ補助情報を受信するため、当該受信したＲＡＮ補助情報により、保持しているＲＡＮ補助情報を更新する。但し、ハンドオーバ先のｅＮＢ２００がＲＡＮ補助情報の送信をサポートしていない場合には、ＷＬＡＮ  ｉｎｔｅｒｗｏｒｋｉｎｇがサポートされていないと考えられるため、保持しているＲＡＮ補助情報を破棄してよい。また、ＵＥ１００がＲＲＣアイドル状態に遷移する場合、ＲＡＮ補助情報がブロードキャストで配信されていれば、ＲＲＣアイドル状態でも当該ＲＡＮ補助情報が有効であると考えられるため、保持しているＲＡＮ補助情報を破棄せずに保持する。
【００９６】
自ＵＥ１００の状態が所定状態でないと判断した場合（ステップＳ１０５；ＮＯ）、ステップＳ１０６において、ＵＥ１００は、保持しているＲＡＮ補助情報に従って動作する。具体的には、ＵＥ１００は、保持しているＲＡＮ補助情報が、オフロードを要求するオフロード制御情報を含む場合に、オフロード関連処理を行う。
【００９７】
（動作パターン２）
以下において、実施形態に係る動作パターン２について説明する。実施形態に係る動作パターン２では、ｅＮＢ２００は、オフロード制御情報をユニキャスト信号により送信する。ユニキャスト信号は、例えば個別ＲＲＣメッセージである。
【００９８】
ｅＮＢ２００は、ＵＥ１００の状態が所定状態であるか否かを判断する。具体的には、ｅＮＢ２００は、ＭＢＭＳ興味通知の受信状況、近傍通知の受信状況、スケジューリングの状況などから、ＵＥ１００の状態が所定状態であるか否かを判断する。ｅＮＢ２００は、ＵＥ１００の状態が所定状態であると判断した場合に、オフロードを要求するオフロード制御情報をＵＥ１００に送信しないよう制御する。
【００９９】
また、実施形態に係る動作パターン２では、オフロードを要求するオフロード制御情報を受信したＵＥ１００は、自ＵＥ１００の状態が所定状態である場合に、受信したオフロード制御情報を無視する。さらに、ＵＥ１００は、自ＵＥ１００が所定状態であることを示す通知をｅＮＢ２００に対して行う。
【０１００】
当該通知は、ブロードキャスト又はマルチキャストで配信されるＭＢＭＳを受信している又は受信に興味があることを示すＭＢＭＳ興味通知の再送、自ＵＥ１００のホワイトリストに登録されたＣＳＧメンバーセルの近傍に立ち入ることを示す第１の近傍通知の再送、オフロード制御情報に対する拒否通知、のうち少なくとも１つである。なお、ＭＢＭＳ興味通知は、通常はＭＢＭＳサービスに係る興味が変化した場合に送信されるものであるが、ＭＢＭＳサービスに係る興味が変化していなくても、ＭＢＭＳ興味通知の再送については許容している。
【０１０１】
図９は、実施形態に係る動作パターン２を示す図である。図９において、ＵＥ１００は、ｅＮＢ２００との接続を確立した状態（ＲＲＣコネクティッド状態）である。また、ｅＮＢ２００が輻輳状態にあると仮定する。
【０１０２】
図９に示すように、ステップＳ２０１において、ｅＮＢ２００は、ＵＥ１００の状態が所定状態であるか否かを判断する。ＵＥ１００の状態が所定状態であると判断した場合（ステップＳ２０１；ＹＥＳ）、ステップＳ２０２において、ｅＮＢ２００は、オフロードを要求するオフロード制御情報をＵＥ１００に送信しないよう制御する。
【０１０３】
これに対し、ＵＥ１００の状態が所定状態でないと判断した場合（ステップＳ２０１；ＮＯ）、ステップＳ２０３において、ｅＮＢ２００は、オフロードを要求するオフロード制御情報をユニキャスト信号によりＵＥ１００に送信する。ＵＥ１００は、オフロード制御情報を受信する。
【０１０４】
ステップＳ２０４において、ＵＥ１００は、自ＵＥ１００の状態が所定状態であるか否かを判断する。自ＵＥ１００の状態が所定状態でないと判断した場合（ステップＳ２０４；ＮＯ）、ステップＳ２０５において、ＵＥ１００は、受信したオフロード制御情報に従ってオフロード関連処理を行う。
【０１０５】
これに対し、自ＵＥ１００の状態が所定状態であると判断した場合（ステップＳ２０４；ＹＥＳ）、ステップＳ２０６において、ＵＥ１００は、自ＵＥ１００が所定状態であることを示す通知をｅＮＢ２００に対して行う。
【０１０６】
［その他の実施形態］
上述した実施形態では、所定状態の一例として、準静的スケジューリング（ＳＰＳ）により無線リソースが割り当てられている状態を挙げた。しかしながら、所定状態は、音声通信を行っていると判断される状態であればよい。例えば、ＵＥ１００には、ＱｏＳ（Ｑｕａｌｉｔｙ  ｏｆ  Ｓｅｒｖｉｃｅ）を処理するパラメータであるＱＣＩ（ＱｏＳ  Ｃｌａｓｓ  Ｉｄｅｎｔｉｆｉｅｒ）が割り当てられる。ここで、ＱＣＩ“１”は、ＶｏＩＰアプリケーションに対応付けられているため、ＱＣＩが“１”である状態を所定状態としてもよい。すなわち、ＲＲＣコネクティッド状態においてＱＣＩが“１”であるＵＥ１００は、ｅＮＢ２００からオフロードを要求されても、当該要求に従わずにｅＮＢ２００との接続を維持する。
【０１０７】
上述した実施形態では、負荷情報をオフロード制御情報として使用していた。しかしながら、ＲＡＮ測定値及び／又はＷＬＡＮ測定値と比較される閾値を調整することにより、オフロードを間接的にＵＥ１００に要求するケースも想定される。そのようなケースでは、当該閾値もオフロード制御情報に相当する。
【０１０８】
上述した実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１０９】
１０…Ｅ−ＵＴＲＡＮ、２０…ＥＰＣ、３０…ＷＬＡＮ、１００…ＵＥ、１０１，１０２…アンテナ、１１１…セルラ通信部、１１２…ＷＬＡＮ通信部、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…セルラ通信部、２２０…ネットワークインターフェイス、２３０…メモリ、２４０…プロセッサ、３００…ＡＰ、５００…ＭＭＥ／Ｓ−ＧＷ
【図１】
2015159491.tif 000003
【図２】
2015159491.tif 000004
【図３】
2015159491.tif 000005
【図４】
2015159491.tif 000006
【図５】
2015159491.tif 000007
【図６】
2015159491.tif 000008
【図７】
2015159491.tif 000009
【図８】
2015159491.tif 000010
【図９】
2015159491.tif 000011